(57)【特許請求の範囲】
【請求項１】
立主管に接続した複数の枝管に蛇口をそれぞれ接続して給水管を構成し、水を満たした上記給水管内に圧縮空気送り込み装置からの圧縮空気を送り込んでその内部を洗浄する給水管内部洗浄装置の運転方法において、
上記立主管の最下部に接続した枝管の止水弁を閉じて量水器を取り外し、この取り外した枝管の立主管側に配管を介して上記圧縮空気送り込み装置を接続すると共に立主管の水を排出する排出手段を接続し、その後、止水弁を開き、しかる後、上記圧縮空気送り込み装置から上記立主管に圧縮空気を断続的に送り込む工程と、この圧縮空気送り込み時間より短く上記排水手段により排水する工程とを交互に行なう作業と、その後、各家庭の蛇口を順次開放する作業を行なうようにしたことを特徴とする給水管内部洗浄装置の運転方法。
【発明の詳細な説明】
【０００１】
【発明の属する技術分野】
本発明は、建築物内に備えられた給水管の内部を洗浄する給水管内部洗浄装置の運転方法に関する。
【０００２】
【従来の技術】
従来の給水管内部洗浄装置は、例えば特公平５−８６２７８号公報に記載のように、立主管に複数の枝管を接続し、この枝管に各家庭の蛇口を取り付けて給水管を構成し、立主管の最下部に接続した枝管の蛇口にアダプタを介して圧縮空気送り込み装置を取り付け、この圧縮空気送り込み装置から水を満たした給水管に圧縮空気を送り込み、圧縮空気が混ざった状態の水で立主管内を洗浄するようにしていた。
【０００３】
【発明が解決しようとする課題】
しかしながら、一般に高置水槽と立主管の管は空気溜を有する横引き管を介して接続されているため、従来の給水管内部洗浄装置で圧縮空気送り込み装置から水を満たした給水管に圧縮空気を送り込むと、空気溜によって立主管の上方部に空気が徐々に溜まって立主管内の水面が下がってしまうことが分かった。水面が下がった状態で作業を続けると、この水面よりも上方に接続されている枝管には圧縮空気と混ざった状態の水が送り込まれなくなり、同部の洗浄が不十分になってしまう。
【０００４】
本発明の目的は、各枝管も含めて効果的な洗浄を行なうことができるようにした給水管内部洗浄装置の運転方法を提供することにある。
【０００５】
【課題を解決するための手段】
本発明は上記目的を達成するために、立主管に接続した複数の枝管に蛇口をそれぞれ接続して給水管を構成し、水を満たした上記給水管内に圧縮空気送り込み装置からの圧縮空気を送り込んでその内部を洗浄する給水管内部洗浄装置の運転方法において、上記立主管の最下部に接続した枝管の止水弁を閉じて量水器を取り外し、この取り外した枝管の立主管側に配管を介して上記圧縮空気送り込み装置を接続すると共に立主管の水を排出する排出手段を接続し、その後、止水弁を開き、しかる後、上記圧縮空気送り込み装置から上記立主管に圧縮空気を断続的に送り込む工程と、この圧縮空気送り込み時間より短く上記排水手段により排水する工程とを交互に行なう作業と、その後、各家庭の蛇口を順次開放する作業を行なうようにしたことを特徴とする。
【０００６】
上述の本発明による給水管内部洗浄装置の運転方法によれば、立主管の下部側に圧縮空気送り込み装置を接続し、立主管に圧縮空気を送り込む工程によって立主管を洗浄することができ、また家庭用の蛇口を開いてその枝管を洗浄することによって立主管の水面が下がったとしても、その後、ドレンによって立主管内の水を排出する排出工程を実施するようにしたため、この排出工程によって高置水槽内の水の水圧で立主管内に再び水を満たすことができ、上方に位置する枝管であっても同様に良好に洗浄することができ、各枝管も含めて効果的な洗浄を行なうことができるようになる。
【０００７】
【発明の実施の形態】
以下、本発明の実施の形態を図面によって説明する。図２は、本発明の一実施の形態による給水管内部洗浄装置を取り付けた給水管の構成を示す正面図である。複数階の建築物１の屋上には高置水槽２が配置されており、この高置水槽２内には水道本管から図示しない汲み上げ管を介して給水されている。また、この高置水槽２には、空気溜３ａを有する横引き管３を介して立主管４の上端が接続され、この立主管４には各階に配置した複数の枝管５ａ〜５ｎがそれぞれ接続されている。これらの各枝管５ａ〜５ｎには、それぞれ止水弁６ａ〜６ｎおよび家庭用の量水器７ａ〜７ｎを介して各家庭用の蛇口８ａ〜８ｎが接続されている。
【０００８】
今、立主管４および枝管５ａ〜５ｎからなる給水管の洗浄を行なう場合、準備作業として、立主管４の最下部に接続した最下階の枝管５ａの止水弁６ａを閉じて、量水器７ａを取り外し、その後、図１に示すようにこの取り外し部の立主管４側に配管９を介して圧縮空気送り込み装置１０を接続する。この準備作業は、従来のように特定の家庭内に入り込んで行なう必要がないので、この特定の家庭に集中して多大の迷惑を掛けることがない。しかし、別の実施の形態では、蛇口８ａに圧縮空気送り込み装置１０を接続したり、他の箇所に圧縮空気送り込み装置１０を接続することもできる。この圧縮空気送り込み装置１０は、コンプレッサ１１、コントローラ１２およびドレン１３等から構成されており、コンプレッサ１１、コントローラ１２および電磁弁１５により立主管４内への圧縮空気送
り込み手段を構成し、またドレン１３、コントローラ１２および電磁弁１４により立主管４内の水を排出する排出手段を構成している。コントローラ１２は、所定時間置きに電磁弁１５を開いてコンプレッサ１１により昇圧した圧縮空気を立主管４内へ単発的に送り出すものであり、また、この圧縮空気の単発的な送り出しを所定時間継続したなら電磁弁１４を開いて立主管４内の水をドレン１３から排出するように制御している。
【０００９】
この準備作業が終了した後、止水弁６ａを開き、各家庭用の蛇口８ａ〜８ｎが閉じているのを確認し、圧縮空気送り込み装置１０を作動する。すると、圧縮空気送り込み手段が作動し、コントローラ１２によって所定時間置きに電磁弁１５を開いてコンプレッサ１１により昇圧した圧縮空気を立主管４内へ単発的に送り出す工程が開始される。このとき立主管４および枝管５ａ〜５ｎの給水管内には高置水槽２からの水が満たされているので、この水中に送り込まれた圧縮空気が上昇し、高置水槽２から大気中に放出される。このときの圧縮空気と水が立主管４内に衝突してその内壁を洗浄する。その後、各家庭の蛇口８ａ〜８ｎを順次開き、例えば、下方の階床の蛇口８ａから上方の階床の蛇口８ｎの順番で開くと、枝管５ａ〜５ｎ内にも分流した圧縮空気によって枝管５ａ〜５ｎ内も洗浄されながら、開いた蛇口８ａ〜８ｎから除去した赤錆等が排出される。
【００１０】
本発明者等の実験によれば、このとき、立主管４内に送り込まれた圧縮空気の一部が、横引き管３の空気溜３ａによって徐々に立主管４の上方部に溜まり、その水面が低下してしまうことが分かった。この現象は、高階床になるほど各蛇口から排出される水の量が増加するため顕著になり、上方階に位置する枝管よりも水面が低下してしまう。これに気付かないで、例えば、蛇口８ｎを開いて枝管５ｎの洗浄を行なおうとすると、蛇口８ｎからの排出がないことは勿論、圧縮空気が水と混じって枝管５ｎ内に入っていかないため、枝管５ｎ内の洗浄も行なわれない。これは、蛇口８ｎを監視する作業者がいれば分かるが、同一階床における部屋数が多くなったり、少ない作業者が次々と蛇口を開いていく場合には見落とされる危険もある。
【００１１】
しかしながら、圧縮空気送り込み装置１０はドレン１３を有するドレン手段を備えているので、所定の時期にこのドレン１３を開いて排出工程を行なうと、立主管４内の水がドレン１３から排出されることになり、このとき、高置水槽２内の水の水圧により高置水槽２から立主管４内に水の移動が生じる。実験によれば、圧縮空気を立主管４内に送り込む工程を５分間実施した後、ドレン１３を開いて立主管４内の水をドレン１３から排出する工程を１分間実施とたとき、立主管４内の水面はふさわしく保持され、最上階の枝管５ｎの洗浄も良好に行なうことができた。このドレン１３の開放操作は、作業者が行なうようにしても良いが、コントローラ１２によって所定時間毎に自動的に行なうようにするなら作業者の負担を軽減することができる。
【００１２】
尚、上述した実施の形態では、最下部に位置する枝管５ａの量水器７ａを取り外し、その取り外し部に圧縮空気送り込み装置１０を接続し、立主管４内を上昇する圧縮空気と水によって立主管４内を洗浄するようにしたため、この量水器７ａよりも上方に位置した他の量水器７ｂ〜７ｎの取り外し部に圧縮空気送り込み装置１０を接続した場合に比べて、上昇する圧縮空気を利用して効果的に立主管４を洗浄することができる。しかし、立主管４が長い場合、上述した量水器７ａの位置からの洗浄作業の終了後に、中間階における量水器の取り外し部に圧縮空気送り込み装置１０を再度接続し、同様の洗浄作業を繰り返して複数箇所からの洗浄を実施することもできる。
【００１３】
【発明の効果】
以上説明したように本発明による給水管内部洗浄装置の運転方法は、立主管に圧縮空気送り込み装置を接続し、圧縮空気を送り込み手段によって立主管に圧縮空気を送り込みながら家庭用の蛇口を開くと、その枝管および立主管を洗浄することができ、しかも、立主管の水面が下がっても、その後、ドレン手段によって立主管内の水を排出すると、高置水槽内の水の水圧によって立主管内に再び水を満たすことができ、上方に位置する枝管であっても同様に良好に洗浄することができ、各枝管も含めて効果的な洗浄を行なうことができる。
【図面の簡単な説明】
【図１】本発明の一実施の形態による給水管内部洗浄装置を示す側面図である。
【図２】図１に示した給水管内部洗浄装置を取り付ける前の給水管を示す側面図である。
【符号の説明】
２  高置水槽
３  横引き管
３ａ  空気溜
４  立主管
５ａ〜５ｎ  枝管
７ａ〜７ｎ  量水器
８ａ〜８ｎ  蛇口
１０  圧縮空気送り込み装置
１２  コントローラ
１３  ドレン
１４，１５  電磁弁
【図１】
0003558509.tif 000002
【図２】
0003558509.tif 000003